(57)【要約】      （修正有）【課題】申請に関する作業負荷を軽減可能な、登録情報配信システムを提供する。【解決手段】携帯端末３０により登録の際に取得した特定情報と配信先情報とをサーバ２０に送信する。所定の復号鍵により復号可能に特定情報等が暗号化されて記録される情報コードをサーバ２０から取得し、表示部に表示する。読取装置４０は、表示部に表示された情報コードを所定の復号鍵を用いて読み取った読取結果をサーバ２０に送信し、その利用者の個人情報をサーバ２０から取得する。サーバ２０は、携帯端末３０から特定情報及び配信先情報を受信すると、特定情報が暗号化されて記録されるように生成された情報コードを携帯端末３０に送信する。サーバ２０は、読取装置４０から読取結果等を受信すると、読取結果に特定情報が含まれる場合に、特定情報に関連付けられて記憶部に記憶される個人情報を読取装置４０に送信する。【選択図】図１
2019067181.tif 000002
【特許請求の範囲】
【請求項１】
特定情報に関連付けられて記憶部に登録される個人情報を配信可能に管理するサーバを有し、携帯端末にて配信先とされた配信先装置に対して前記サーバから前記個人情報を配信する登録情報配信システムであって、
前記携帯端末は、
当該携帯端末を所持する利用者の個人情報を前記サーバに登録する際に当該サーバにて生成される前記特定情報を取得し、前記特定情報と前記配信先装置を特定可能な配信先情報とを前記サーバに送信することで、所定の復号鍵により復号可能に前記特定情報が暗号化されて記録される情報コードを前記サーバから取得する端末側取得部と、
前記端末側取得部にて取得された前記情報コードを表示する表示部と、
を備え、
前記配信先装置は、
前記サーバから予め取得した前記所定の復号鍵が記憶される装置側記憶部と、
前記表示部に表示された前記情報コードを前記装置側記憶部に記憶される前記所定の復号鍵を用いて読み取る読取部と、
前記読取部による読取結果を前記サーバに送信することで、前記利用者の個人情報を前記サーバから取得可能な装置側取得部と、
を備え、
前記サーバは、
前記携帯端末から前記特定情報及び前記配信先情報を受信すると、前記配信先情報から特定される前記配信先装置の前記装置側記憶部に記憶された前記所定の復号鍵を用いて読み取り可能となるように、前記特定情報が暗号化されて記録された前記情報コードを生成して前記携帯端末に送信し、
前記配信先装置から前記読取結果を受信すると、前記読取結果に前記特定情報が含まれる場合に、当該特定情報に関連付けられて前記記憶部に記憶される前記個人情報を前記配信先装置に送信することを特徴とする登録情報配信システム。
【請求項２】
前記情報コードは、公開可能な情報が記録される公開領域と、前記所定の復号鍵を用いて復号可能に暗号化された前記特定情報が記録される非公開領域とを有する一部非公開コードであることを特徴とする請求項１に記載の登録情報配信システム。
【請求項３】
前記情報コードは、前記特定情報に加えて、所定のパスワードが前記所定の復号鍵により復号可能に暗号化されるように記録されて生成され、
前記サーバは、前記配信先装置から前記読取結果を受信すると、前記読取結果に前記特定情報及び前記所定のパスワードが含まれる場合に、当該特定情報に関連付けられて前記記憶部に記憶される前記個人情報を前記配信先装置に送信することを特徴とする請求項１又は２に記載の登録情報配信システム。
【請求項４】
前記情報コードは、前記特定情報に加えて、有効期限に関する情報が前記所定の復号鍵により復号可能に暗号化されるように記録されて生成され、
前記サーバは、前記配信先装置から前記読取結果を受信すると、前記読取結果に前記特定情報が含まれ、かつ、前記読取結果に含まれる前記有効期限に関する情報に基づいて当該読取結果を受信した時刻が有効期限内であると判定される場合に、当該特定情報に関連付けられて前記記憶部に記憶される前記個人情報を前記配信先装置に送信することを特徴とする請求項１〜３のいずれか一項に記載の登録情報配信システム。
【請求項５】
前記情報コードは、前記特定情報に加えて、前記携帯端末から受信した前記配信先情報が前記所定の復号鍵により復号可能に暗号化されるように記録されて生成され、
前記サーバは、前記配信先装置から前記読取結果を受信すると、前記読取結果に前記特定情報が含まれ、かつ、前記読取結果に含まれる前記配信先情報から特定される配信先装置が当該読取結果を送信した配信先装置に一致すると判定される場合に、当該特定情報に関連付けられて前記記憶部に記憶される前記個人情報を前記配信先装置に送信することを特徴とする請求項１〜４のいずれか一項に記載の登録情報配信システム。
【請求項６】
前記サーバは、前記配信先装置から前記読取結果を受信すると、前記読取結果に前記特定情報が含まれる場合に、さらに、前記配信先装置から前記個人情報の送信要求があったことを示す情報を、前記特定情報に対応する前記携帯端末に送信することを特徴とする請求項１〜５のいずれか一項に記載の登録情報配信システム。
【発明の詳細な説明】
【技術分野】
【０００１】
本発明は、情報コードを利用した登録情報配信システムに関するものである。
【背景技術】
【０００２】
従来、会員サービスを提供している店舗等での新規会員登録を行う際、利用者（会員申請者）は申請用紙への記入や本人証明書類等の提示を行い、店舗スタッフは申請内容の確認や複写した本人証明書類等と申請用紙との紐付け等の作業を行う必要がある。このような作業は、利用者及び店舗スタッフの双方にとって煩雑な作業であり、その作業負荷を軽減するため、例えば、下記特許文献１に開示される会員証発行システムが知られている。
【０００３】
この会員証発行システムでは、利用者が携帯電話機を利用して会員証発行装置にて生成された２次元コードを読み取り、この読み取りにより取得したアクセス先情報に基づいて情報管理装置にアクセスすることで、会員情報登録用のページにアクセス可能となる。そして、この会員情報登録用のページにアクセスした状態での携帯電話機の入力操作に応じて個人情報等を情報管理装置に送信した後、その携帯電話機を利用して会員証発行装置にて次に生成された２次元コードを読み取り、この読み取りにより取得したアクセス先情報に基づいて情報管理装置にアクセスすることで、会員証発行装置にて会員証が発行される。これにより、利用者に対して別途会員証を送付する必要がなく、会員申請から会員証が利用可能となるまでの時間を短縮している。
【先行技術文献】
【特許文献】
【０００４】
【特許文献１】特開２０１２−２２１３３６号公報
【発明の概要】
【発明が解決しようとする課題】
【０００５】
ところで、上述のような申請方法では、店舗等にて会員証発行装置及び情報管理装置に相当する各種装置や各種装置が利用するネットワークシステム環境等を用意する必要があるだけでなく、そのシステムを運営管理する業務も必要となり、規模が小さな中小店舗等では採用し難い場合がある。その一方で、利用者の立場からすると、利用者が申請を所望する店舗等が複数あると、その店舗等ごとに申請する必要があり面倒であった。
【０００６】
本発明は、上述した課題を解決するためになされたものであり、その目的とするところは、高度な管理が必要となるネットワークシステム等を要することなく申請に関する作業負荷を軽減可能な構成を提供することにある。
【課題を解決するための手段】
【０００７】
上記目的を達成するため、特許請求の範囲の請求項１に記載の発明は、
特定情報に関連付けられて記憶部（２２）に登録される個人情報を配信可能に管理するサーバ（２０）を有し、携帯端末（３０）にて配信先とされた配信先装置（４０）に対して前記サーバから前記個人情報を配信する登録情報配信システム（１０）であって、
前記携帯端末は、
当該携帯端末を所持する利用者の個人情報を前記サーバに登録する際に当該サーバにて生成される前記特定情報を取得し、前記特定情報と前記配信先装置を特定可能な配信先情報とを前記サーバに送信することで、所定の復号鍵により復号可能に前記特定情報が暗号化されて記録される情報コード（Ｃ）を前記サーバから取得する端末側取得部（３７）と、
前記端末側取得部にて取得された前記情報コードを表示する表示部（３４）と、
を備え、
前記配信先装置は、
前記サーバから予め取得した前記所定の復号鍵が記憶される装置側記憶部（４２）と、
前記表示部に表示された前記情報コードを前記装置側記憶部に記憶される前記所定の復号鍵を用いて読み取る読取部（４１，４３）と、
前記読取部による読取結果を前記サーバに送信することで、前記利用者の個人情報を前記サーバから取得可能な装置側取得部（４６）と、
を備え、
前記サーバは、
前記携帯端末から前記特定情報及び前記配信先情報を受信すると、前記配信先情報から特定される前記配信先装置の前記装置側記憶部に記憶された前記所定の復号鍵を用いて読み取り可能となるように、前記特定情報が暗号化されて記録された前記情報コードを生成して前記携帯端末に送信し、
前記配信先装置から前記読取結果を受信すると、前記読取結果に前記特定情報が含まれる場合に、当該特定情報に関連付けられて前記記憶部に記憶される前記個人情報を前記配信先装置に送信することを特徴とする。
なお、上記各括弧内の符号は、後述する実施形態に記載の具体的手段との対応関係を示すものである。
【発明の効果】
【０００８】
請求項１の発明では、携帯端末において、登録の際に取得した特定情報と配信先情報とがサーバに送信されることで、所定の復号鍵により復号可能に特定情報が暗号化されて記録される情報コードがサーバから端末側取得部により取得され、この取得された情報コードが表示部に表示される。そして、配信先装置では、表示部に表示された情報コードを読取部により所定の復号鍵を用いて読み取った読取結果がサーバに送信されることで、その利用者の個人情報がサーバから装置側取得部により取得される。サーバでは、携帯端末から特定情報及び配信先情報が受信されると、配信先情報から特定される配信先装置の装置側記憶部に記憶された所定の復号鍵を用いて読み取り可能となるように、特定情報が暗号化されて記録されるように生成された情報コードが携帯端末に送信される。また、サーバでは、配信先装置から読取結果が受信されると、当該読取結果に特定情報が含まれる場合に、当該特定情報に関連付けられて記憶部に記憶される個人情報が配信先装置に送信される。
【０００９】
これにより、サーバに個人情報を事前に登録している利用者は、会員登録したい店舗等を選択した場合、その店舗等が管理する配信先装置の配信先情報が事前登録時に取得した特定情報とともにサーバに送信されることで得た情報コードを、その配信先装置に読み取らせることで、当該配信先装置にその利用者の個人情報を取得させることができる。このため、利用者は、１度事前登録さえすれば、会員登録したい店舗等を選択した結果得られる情報コードをその店舗等の配信先装置に読み取らせるだけで利用者の申請作業が完了するので、利用者等の申請に関する作業負荷を軽減できる。特に、店舗等では、サーバを管理する業者等に事前に登録して所定の復号鍵を取得していることで、利用者がかざした情報コードを配信先装置にて読み取るだけで、サーバからその利用者の個人情報を取得できる。すなわち、情報コードを読み取る機能とサーバと通信する通信機能とを備える配信先装置を用意するだけで、利用者の個人情報をサーバから取得できる環境を構築できる。一方、所定の復号鍵を取得していない一般の読取装置では、携帯端末に表示される情報コードを読み取ることができないため、情報コードの不正使用による個人情報の不正取得を防止することができる。したがって、高度な管理が必要となるネットワークシステム等を要することなく申請に関する作業負荷を軽減可能なシステムを実現することができる。
【００１０】
請求項２の発明では、情報コードは、公開可能な情報が記録される公開領域と、所定の復号鍵を用いて復号可能に暗号化された特定情報が記録される非公開領域とを有する一部非公開コードである。
【００１１】
これにより、所定の復号鍵を取得していない一般の読取装置では、携帯端末に表示される情報コードから公開可能な情報が読み取られるので、他に特定情報が記録されていることを知得すらできず、特定情報の秘匿性を向上させることができる。
【００１２】
請求項３の発明では、情報コードは、特定情報に加えて、所定のパスワードが所定の復号鍵により復号可能に暗号化されるように記録されて生成される。そして、サーバでは、配信先装置から読取結果が受信されると、当該読取結果に特定情報及び所定のパスワードが含まれる場合に、当該特定情報に関連付けられて記憶部に記憶される個人情報が配信先装置に送信される。
【００１３】
これにより、仮に、特定情報が不正に取得されたとしても、その特定情報に対応する所定のパスワードが読取結果に含まれない限り、個人情報がサーバから送信されることもないので、サーバにて登録される個人情報に関してセキュリティ性を向上させることができる。
【００１４】
請求項４の発明では、情報コードは、特定情報に加えて、有効期限に関する情報が所定の復号鍵により復号可能に暗号化されるように記録されて生成される。そして、サーバでは、配信先装置から読取結果が受信されると、当該読取結果に特定情報が含まれ、かつ、読取結果に含まれる有効期限に関する情報に基づいて当該読取結果を受信した時刻が有効期限内であると判定される場合に、当該特定情報に関連付けられて記憶部に記憶される個人情報が配信先装置に送信される。
【００１５】
これにより、情報コードに有効期限を設定でき、有効期限を超えた情報コードを読み取らせても個人情報がサーバから送信されることもないので、情報コードの不正使用をより防止しやすくすることができる。
【００１６】
請求項５の発明では、情報コードは、特定情報に加えて、携帯端末から受信した配信先情報が所定の復号鍵により復号可能に暗号化されるように記録されて生成される。そして、サーバでは、配信先装置から読取結果が受信されると、当該読取結果に特定情報が含まれ、かつ、読取結果に含まれる配信先情報から特定される配信先装置が当該読取結果を送信した配信先装置に一致すると判定される場合に、当該特定情報に関連付けられて記憶部に記憶される個人情報が配信先装置に送信される。
【００１７】
これにより、例えば、不正に取得した読取結果を送信した装置では、読取結果に含まれる配信先情報から特定される配信先装置と当該読取結果を送信した装置とが一致しないと判定される。このため、不正に取得した読取結果を送信した装置等には、個人情報がサーバから送信されることもないので、サーバにて登録される個人情報に関してセキュリティ性を向上させることができる。
【００１８】
請求項６の発明では、サーバにより、配信先装置から読取結果が受信されると、当該読取結果に特定情報が含まれる場合に、さらに、配信先装置から個人情報の送信要求があったことを示す情報が、特定情報に対応する携帯端末に送信される。
【００１９】
これにより、利用者は、自分の個人情報の送信要求があったことをサーバからの情報により知ることができるので、第三者による個人情報の不正取得が抑制されて、サーバにて登録される個人情報に関してセキュリティ性を向上させることができる。
【図面の簡単な説明】
【００２０】
【図１】第１実施形態に係る登録情報配信システムの概略構成を示す説明図である。
【図２】図１のサーバの電気的構成を概略的に例示するブロック図である。
【図３】登録される利用者に関してサーバに構築される第１データベースの一例を示す説明図である。
【図４】登録される店舗等に関してサーバに構築される第２データベースの一例を示す説明図である。
【図５】生成された情報コードに関してサーバに構築される第３データベースの一例を示す説明図である。
【図６】図１の携帯端末の電気的構成を概略的に例示するブロック図である。
【図７】携帯端末の表示部において個人情報を入力する入力画面を例示する説明図である。
【図８】図１の読取装置の電気的構成を概略的に例示するブロック図である。
【図９】携帯端末にて行われる申請処理の流れを例示するフローチャートである。
【図１０】携帯端末の表示部において店舗を選択する選択画面を例示する説明図である。
【図１１】携帯端末の表示部において情報コードがワンタイムパスワードとして表示される状態を例示する説明図である。
【図１２】読取装置にて行われる読取処理の流れを例示するフローチャートである。
【図１３】サーバにて行われる申請補助処理の流れを例示するフローチャートである。
【発明を実施するための形態】
【００２１】
［第１実施形態］
以下、本発明の第１実施形態に係る登録情報配信システムについて、図面を参照して説明する。
図１に示す登録情報配信システム１０は、登録される個人情報を配信可能に管理するサーバを有し、携帯端末にて配信先とされた配信先装置に対してサーバから個人情報を配信するシステムとして構成されている。具体的には、本実施形態では、登録情報配信システム１０は、会員登録等の申請作業の簡素化を望む利用者や店舗等に対してサーバ２０を利用して申請補助サービスを提供する運営業者等によって管理されている。この運営業者等によって、利用者が上記サービスを受ける場合に使用する所定のアプリケーションプログラム（以下、申請アプリともいう）が配信されている。そして、サーバ２０では、上記申請アプリのインストール時（事前会員登録時）に携帯端末３０から受信した個人情報が所定のデータベースに登録される。
【００２２】
そして、会員制のサービスをそれぞれ提供している複数の店舗等に来店して会員登録録等の申請を行う利用者が、上記申請アプリをインストールした携帯端末３０に表示した情報コードＣを各店舗等に配信先装置として配置される読取装置４０に読み取らせる。これにより、その読取結果等がサーバ２０に送信され、この送信に応じてサーバ２０から事前会員登録時の申請情報となる個人情報等が読取装置４０に配信される。
【００２３】
ここで、情報コードＣは、公開可能な情報が記録される公開領域と、復号鍵を用いて復号可能に暗号化された情報が記録される非公開領域とを有する一部非公開コードとして構成されるようにサーバ２０にて生成されて、後述するようにして携帯端末３０に送信される。そして、公開領域には、申請アプリをサーバ２０からダウンロードするためのウェブサイト（ダウンロードサイト）のアドレス情報等が記録されている。また、非公開領域には、個人情報をサーバ２０から取得するための特定情報（後述する）等が記録され、対応する復号鍵を有しない読取装置等では解読できないようになっている。すなわち、対応する復号鍵を有しない読取装置等にて情報コードＣを撮像した場合には、非公開領域に記録される情報が読み取られることなく公開領域に記録される情報のみが読み取られる。
【００２４】
登録情報配信システム１０が有するサーバ２０は、主に、図２に示すように、ＣＰＵ等からなる制御部２１、後述するデータベースが更新可能に構築される記憶部２２、液晶表示器などからなる表示部２３、各種操作キー等によって構成される操作部２４、携帯端末３０や読取装置４０とインターネットＮ等の所定のネットワークを介して通信する通信部２５などを備えている。
【００２５】
記憶部２２には、利用者が事前に申請した個人情報等が登録される第１データベースと、店舗等が事前に申請した店舗情報等が登録される第２データベースと、発行した情報コードＣに記録される情報が登録される第３データベースとが更新可能に構築されている。具体的には、第１データベースには、図３に例示するように、利用者から取得した氏名、住所、電話番号、メールアドレス、職業名、パスワードが、利用者を特定可能な特定情報として利用客コードに関連付けられて記憶されている。また、第２データベースには、図４に例示するように、店舗名、住所、電話番号、メールアドレス、パスワード及び後述する復号鍵が、店舗名を特定可能な配信先情報として店舗コードに関連付けられて記憶されている。
【００２６】
このように構成されるサーバ２０では、制御部２１にて行われる申請補助処理により、事前登録している携帯端末３０から特定情報及び配信先情報が受信されると、これらの情報に発行番号（ユニークＩＤ）及び有効期限に関する情報（以下、単に有効期限情報ともいう）と受信した特定情報に関連付けられて第１データベースに登録されるパスワードとを付加して非公開領域に記録した情報コードＣが生成される。発行番号は、情報コードＣが生成されるごとに発行される番号であり、このように情報コードＣが発行されるごとに、図５に例示するように、非公開領域に記録される各情報が発行番号を基準に記憶部２２の第３データベースに登録され、生成された情報コードＣが設定された有効期限情報とともに携帯端末３０に送信される。
【００２７】
また、サーバ２０では、上記申請補助処理により、事前登録している読取装置４０から読取結果及び配信先情報が受信されると、利用者が個人情報の送信を希望する読取装置４０からの送信要求であるか否かについて判定される。そして、利用者が個人情報の送信を希望する読取装置４０からの送信要求であると判定されると、受信した読取結果に含まれる特定情報に関連付けられて第１データベースに記録される個人情報が読取装置４０に送信される。なお、制御部２１にて行われる申請補助処理の詳細については後述する。
【００２８】
携帯端末３０は、利用者が所持するスマートフォン等の携帯型の情報端末に上記申請アプリがインストールされて構成されるものである。この携帯端末３０は、主に、図６に示すように、ＣＰＵ等からなる制御部３１、ＲＯＭ，ＲＡＭ、不揮発性メモリなどからなる記憶部３２、受光センサ（例えば、Ｃ−ＭＯＳエリアセンサ、ＣＣＤエリアセンサ等）を備えたカメラとして構成される撮像部３３、液晶表示器などからなる表示部３４、各種操作キーやタッチパネル等（図示略）によって構成される操作部３５、ＧＰＳ信号等を受信することで当該携帯端末３０の位置情報を取得する位置情報取得部３６、サーバ２０等の外部機器と無線または有線にて通信可能な通信インタフェースとして構成される通信部３７などを備えている。
【００２９】
このように構成される携帯端末３０では、サーバ２０を利用して配信される上記申請アプリをインストールする際に、図７に例示する表示画面Ｐのように、個人情報を入力する画面が表示部３４に表示される。この入力画面に入力された各情報と別途入力要求されるパスワードとが個人情報としてサーバ２０に送信されて、他の個人情報と区別するために設定される特定情報に関連付けられて、記憶部２２の第１データベースに登録される（図３参照）。この第１データベースへの登録時に上述のように設定される特定情報が、個人情報の事前登録が完了したことを示す情報とともにサーバ２０から携帯端末３０に送信され、携帯端末３０では、受信した特定情報が上記申請アプリにて利用可能に記憶部３２に記憶される。また、別途入力されたパスワードは、上記申請アプリを起動する際に要求されるパスワードとして記憶部３２に記憶される。なお、個人情報を入力する画面は、日本語に限らず、英語等、他の言語での表記を選択可能に生成されてもよい。上記申請アプリを起動することで制御部３１にて行われる申請処理の詳細については後述する。
【００３０】
読取装置４０は、例えば、店舗内のカウンタ上に配置される据え置き型の情報端末として構成されている。この読取装置４０は、図８に示すように、ＣＰＵ等からなる制御部４１、ＲＯＭ，ＲＡＭ、不揮発性メモリなどからなる記憶部４２、受光センサ（例えば、Ｃ−ＭＯＳエリアセンサ、ＣＣＤエリアセンサ等）を備えたカメラとして構成される撮像部４３、液晶表示器などからなる表示部４４、各種操作キー等によって構成される操作部４５、サーバ２０や店舗内の他の情報端末５０等の外部機器と無線または有線にて通信可能な通信インタフェースとして構成される通信部４６などを備えている。
【００３１】
読取装置４０は、図１に示すように、略箱状に形成される筐体４７により外郭が構成されており、この筐体４７の上面中央に矩形状の読取口４８が設けられている。撮像部４３等は、読取口４８にかざされる情報コードＣ等を当該読取口４８を介して撮像するように、筐体４７内に収容されている。
【００３２】
読取装置４０を管理する店舗管理者等は、店舗内の情報端末５０等を利用して、サーバ２０に対して事前登録を行い、この事前登録時に申請した店舗情報は、他の店舗情報と区別するために設定される配信先情報に関連付けられて、記憶部２２の第２データベースに登録される（図４参照）。この第２データベースへの登録時に上述のように設定される配信先情報が、復号鍵及び店舗情報の事前登録が完了したことを示す情報とともにサーバ２０から店舗内の情報端末５０等に送信される。このようにサーバ２０から受信した配信先情報及び復号鍵は、店舗内の情報端末５０等を介して読取装置４０の記憶部４２に記憶される。なお、携帯端末３０に表示される情報コードＣを読み取る場合に制御部４１にて行われる読取処理の詳細については後述する。また、記憶部４２は、「装置側記憶部」の一例に相当し得る。
【００３３】
次に、利用者が携帯端末３０を利用することで、会員申請を望む店舗に配置される読取装置４０に自身の個人情報を取得させる際の具体的な流れについて、図面を参照して詳述する。
まず、携帯端末３０にて行われる申請処理について説明する。
利用者は、会員申請を望む店舗に来店し、携帯端末３０にて申請アプリを起動させて所定のパスワードを入力する。これにより、制御部３１による申請処理が開始され、配信先情報送信要求が通信部３７を介してサーバ２０に対してなされると（図９のＳ１０１）、この送信要求に応じて、サーバ２０から申請サービスを受けることができる複数の店舗名に関する情報が上記配信先情報に関連付けられて通信部３７を介して受信される（Ｓ１０３）。
【００３４】
この受信に応じて、表示部３４に申請サービスを受けることができる複数の店舗名の少なくとも一部が選択可能に表示される（Ｓ１０５）。そして、操作部３５に対する利用者の入力操作に応じて、図１０に例示する表示画面Ｐのように、数個の店舗名が検索された状態で来店した店舗名が選択されて（Ｓ１０７）、「パスワード取得」アイコンが選択されると、その選択された店舗名に関連付けられる配信先情報が記憶部３２に記憶される特定情報とともにサーバ２０に通信部３７を介して送信される（Ｓ１０９）。なお、店舗検索方法の１つとして、位置情報取得部３６により取得される携帯端末３０の位置情報から検出される現在位置を基準に、所定距離範囲内に位置している数店舗が選択可能な店舗名として表示部３４に選択可能に表示されてもよい。また、店舗検索画面は、日本語に限らず、英語等、他の言語での表記を選択可能に生成されてもよい。
【００３５】
この配信先情報の送信に応じてサーバ２０から情報コードＣ及び有効期限情報が通信部３７を介して受信されると（Ｓ１１１）、図１１に例示する表示画面Ｐのように、情報コードＣが有効期限を伴うワンタイムパスワードとして表示部３４に表示される（Ｓ１１３）。この表示部３４に表示された情報コードＣを読取装置４０に読み取らせた後、サーバ２０から後述する送信要求情報を受信すると、読取装置４０への個人情報の送信が完了した旨が表示部３４による表示等を利用して報知されて（Ｓ１１５）、本申請処理が終了する。なお、表示部３４に情報コードＣを表示させていない状態で上記送信要求情報が受信されると、不正に個人情報がサーバ２０から送信された可能性がある旨を表示部３４による表示等を利用して報知してもよい。また、情報コードＣが表示される画面は、日本語に限らず、英語等、他の言語での表記を選択可能に生成されてもよい。また、情報コードＣ等をサーバ２０から取得可能な通信部３７は、「端末側取得部」の一例に相当し得る。
【００３６】
次に、読取装置４０にて行われる読取処理について説明する。
読取装置４０では、制御部４１による読取処理が開始されると、読取口４８にかざされる情報コードＣが撮像可能な状態になる。そして、利用者により表示部３４に表示された情報コードＣが読取口４８にかざされることで、その情報コードＣが撮像部４３により撮像されると（図１２のＳ２０１）、この撮像した情報コードＣが記憶部４２に記憶される復号鍵を用いてデコードされる（Ｓ２０３）。なお、情報コードＣを記憶部４２に記憶される復号鍵を用いて読み取る制御部４１は、撮像部４３とともに、「読取部」の一例に相当し得る。
【００３７】
このデコードにより得られた読取結果は、記憶部４２に記憶される配信先情報とともに通信部４６を介してサーバ２０に送信される（Ｓ２０５）。この読取結果等の送信に応じて、情報コードＣをかざした利用者の個人情報がサーバ２０から通信部４６を介して受信されると（Ｓ２０７）、本読取処理が終了する。このようにサーバ２０から受信した個人情報は、情報コードＣをかざしている利用者の個人情報として店舗内の情報端末５０に送信等されて、会員申請時に取得した個人情報として管理される。なお、利用者の個人情報をサーバ２０から取得可能な通信部４６は、「装置側取得部」の一例に相当し得る。
【００３８】
店舗内の情報端末５０では、例えば、利用者が別途提示した運転免許証等の証明書類をスキャンすることで、このスキャンした証明書類と上述のように読取装置４０を介してサーバ２０から受信した個人情報とを１枚の会員申請用紙にまとめて印刷することができる。
【００３９】
次に、サーバ２０にて行われる申請補助処理について説明する。
サーバ２０では、制御部２１による申請補助処理が開始され、携帯端末３０から上記配信先情報送信要求が受信されると（図１３のＳ３０１でＹｅｓ）、その携帯端末３０に対して、申請サービスを受けることができる複数の店舗名に関する情報が上記配信先情報に関連付けられて送信される（Ｓ３０３）。
【００４０】
また、サーバ２０では、携帯端末３０から配信先情報及び特定情報が受信されると（Ｓ３０５でＹｅｓ）、上述のように、受信した配信先情報に関連付けられて第２データベースに登録される復号鍵により復号可能に、発行番号、特定情報、配信先情報、パスワード及び有効期限情報が非公開領域に記録されて暗号化されるように情報コードＣが生成される（Ｓ３０７）。
【００４１】
そして、このように生成された情報コードＣは、当該情報コードＣの非公開領域に記録される有効期限情報とともに携帯端末３０に送信される（Ｓ３０９）。また、このように情報コードＣが生成されて発行されると、その非公開領域に記録される各情報が発行番号を基準に記憶部２２の第３データベースに登録される（図５参照）。なお、非公開領域に記録されるパスワードは、第１データベースに予め登録されるパスワードに限らず、情報コードＣが生成されるごとにサーバ２０にて新たに設定されてもよい。
【００４２】
また、サーバ２０では、読取装置４０から読取結果及び配信先情報が受信されると（Ｓ３１１でＹｅｓ）、この読取結果に含まれる情報について各判定処理がなされる。具体的には、まず、読取結果に特定情報が含まれているか否かについて判定され、読取結果に特定情報が含まれていると判定されると（Ｓ３１３でＹｅｓ）、次に、読取結果に含まれるパスワードが第１データベースに登録されるパスワードと一致するか否かについて判定される。そして、両者が一致すると判定されると（Ｓ３１５でＹｅｓ）、次に、読取結果に含まれる有効期限情報に基づいて有効期限内であるか否かについて判定される。そして、有効期限内であると判定されると（Ｓ３１７でＹｅｓ）、次に、読取結果に含まれる配信先情報と受信した配信先情報とが一致するか否かについて判定される。そして、読取結果に含まれる配信先情報から特定される読取装置が当該読取結果を送信した読取装置４０であることから両者が一致すると判定されると（Ｓ３１９でＹｅｓ）、利用者が個人情報の送信を希望する読取装置４０からの送信要求であるとして、読取結果に含まれる特定情報に関連付けられて第１データベースに登録される個人情報が読取装置４０に送信される（Ｓ３２１）。そして、特定情報から特定される携帯端末３０に対して、その個人情報の送信要求があったことを示す送信要求情報が送信される（Ｓ３２３）。
【００４３】
なお、読取結果に特定情報が含まれていないと判定される場合（Ｓ３１３でＮｏ）、又は、読取結果に含まれるパスワードが第１データベースに登録されるパスワードと一致しないと判定される場合（Ｓ３１５でＮｏ）、又は、有効期限内でないと判定される場合（Ｓ３１７でＮｏ）、又は、読取結果に含まれる配信先情報から特定される配信先装置と当該読取結果を送信した配信先装置とが一致しないと判定される場合には（Ｓ３１９でＮｏ）、その読取結果を送信した配信先装置に対して、エラー情報やその理由などが送信される（Ｓ３２５）。
【００４４】
以上説明したように、本実施形態に係る登録情報配信システム１０では、携帯端末３０において、登録の際に取得した特定情報と配信先情報とがサーバ２０に送信されることで、所定の復号鍵により復号可能に特定情報等が暗号化されて記録される情報コードＣがサーバ２０から取得され、この取得された情報コードＣが表示部３４に表示される。そして、読取装置４０では、表示部３４に表示された情報コードＣを所定の復号鍵を用いて読み取った読取結果がサーバ２０に送信されることで、その利用者の個人情報がサーバ２０から取得される。サーバ２０では、携帯端末３０から特定情報及び配信先情報が受信されると、配信先情報から特定される読取装置４０の記憶部４２に記憶された所定の復号鍵を用いて読み取り可能となるように、特定情報が暗号化されて記録されるように生成された情報コードＣが携帯端末３０に送信される。また、サーバ２０では、読取装置４０から読取結果等が受信されると、当該読取結果に特定情報が含まれる場合、他の判定処理での肯定判定を前提に、当該特定情報に関連付けられて記憶部２２に記憶される個人情報が読取装置４０に送信される。
【００４５】
これにより、サーバ２０に個人情報を事前に登録している利用者は、会員登録したい店舗等を選択した場合、その店舗等が管理する読取装置４０の配信先情報が事前登録時に取得した特定情報とともにサーバ２０に送信されることで得た情報コードＣを、その読取装置４０に読み取らせることで、当該読取装置４０にその利用者の個人情報を取得させることができる。このため、利用者は、１度事前登録さえすれば、会員登録したい店舗等を選択した結果得られる情報コードＣをその店舗等の読取装置４０に読み取らせるだけで利用者の申請作業が完了するので、利用者等の申請に関する作業負荷を軽減できる。特に、店舗等では、サーバ２０を管理する業者等に事前に登録して所定の復号鍵を取得していることで、利用者がかざした情報コードＣを読取装置４０にて読み取るだけで、サーバ２０からその利用者の個人情報を取得できる。すなわち、情報コードＣを読み取る機能とサーバ２０と通信する通信機能とを備える読取装置４０を用意するだけで、利用者の個人情報をサーバ２０から取得できる環境を構築できる。一方、所定の復号鍵を取得していない一般の読取装置では、携帯端末３０に表示される情報コードＣを読み取ることができないため、情報コードＣの不正使用による個人情報の不正取得を防止することができる。したがって、高度な管理が必要となるネットワークシステム等を要することなく申請に関する作業負荷を軽減可能なシステムを実現することができる。
【００４６】
また、情報コードＣは、公開可能な情報が記録される公開領域と、所定の復号鍵を用いて復号可能に暗号化された特定情報が記録される非公開領域とを有する一部非公開コードである。
【００４７】
これにより、所定の復号鍵を取得していない一般の読取装置では、携帯端末３０に表示される情報コードＣから公開可能な情報が読み取られるので、他に特定情報が記録されていることを知得すらできず、特定情報の秘匿性を向上させることができる。
【００４８】
さらに、情報コードＣは、特定情報に加えて、所定のパスワードが所定の復号鍵により復号可能に暗号化されるように記録されて生成される。そして、サーバ２０では、読取装置４０から読取結果が受信されると、当該読取結果に特定情報及び上記所定のパスワードが含まれる場合、他の判定処理での肯定判定を前提に、当該特定情報に関連付けられて記憶部２２に記憶される個人情報が読取装置４０に送信される。
【００４９】
これにより、仮に、特定情報が不正に取得されたとしても、その特定情報に対応する所定のパスワードが読取結果に含まれない限り、個人情報がサーバ２０から送信されることもないので、サーバ２０にて登録される個人情報に関してセキュリティ性を向上させることができる。
【００５０】
また、情報コードＣは、特定情報に加えて、有効期限情報が所定の復号鍵により復号可能に暗号化されるように記録されて生成される。そして、サーバ２０では、読取装置４０から読取結果が受信されると、当該読取結果に特定情報が含まれ、かつ、読取結果に含まれる有効期限情報に基づいて当該読取結果を受信した時刻が有効期限内であると判定される場合、他の判定処理での肯定判定を前提に、当該特定情報に関連付けられて記憶部２２に記憶される個人情報が読取装置４０に送信される。
【００５１】
これにより、情報コードＣに有効期限を設定でき、有効期限を超えた情報コードＣを読み取らせても個人情報がサーバ２０から送信されることもないので、情報コードＣの不正使用をより防止しやすくすることができる。
【００５２】
さらに、情報コードＣは、特定情報に加えて、携帯端末３０から受信した配信先情報が所定の復号鍵により復号可能に暗号化されるように記録されて生成される。そして、サーバ２０では、読取装置４０から読取結果が受信されると、当該読取結果に特定情報が含まれ、かつ、読取結果に含まれる配信先情報から特定される読取装置が当該読取結果を送信した読取装置４０に一致すると判定される場合、他の判定処理での肯定判定を前提に、当該特定情報に関連付けられて記憶部２２に記憶される個人情報が読取装置４０に送信される。
【００５３】
これにより、例えば、不正に取得した読取結果を送信した装置では、読取結果に含まれる配信先情報から特定される読取装置と当該読取結果を送信した装置とが一致しないと判定される。このため、不正に取得した読取結果を送信した装置等には、個人情報がサーバ２０から送信されることもないので、サーバ２０にて登録される個人情報に関してセキュリティ性を向上させることができる。
【００５４】
特に、サーバ２０により、読取装置４０から読取結果が受信されると、当該読取結果に特定情報が含まれる場合、他の判定処理での肯定判定を前提に、さらに、読取装置４０から個人情報の送信要求があったことを示す送信要求情報が、特定情報に対応する携帯端末３０に送信される。
【００５５】
これにより、利用者は、自分の個人情報の送信要求があったことをサーバ２０からの情報により知ることができるので、第三者による個人情報の不正取得が抑制されて、サーバ２０にて登録される個人情報に関してセキュリティ性を向上させることができる。
【００５６】
なお、本発明は上記実施形態に限定されるものではなく、例えば、以下のように具体化してもよい。
（１）上述した申請補助処理では、読取結果に特定情報が含まれていると判定されると（Ｓ３１３でＹｅｓ）、各判定処理が肯定判定となる場合に、個人情報が読取装置４０に送信されているが、これに限らず、利用環境等に応じて、個人情報が読取装置４０に送信される条件を変更してもよい。例えば、読取結果に特定情報が含まれていると判定されると、各判定処理のうち少なくともいずれか１つが肯定判定となる場合に、個人情報が読取装置４０に送信されてもよいし、読取結果に特定情報が含まれていると判定されることで、他の判定処理の結果を考慮することなく個人情報が読取装置４０に送信されてもよい。
【００５７】
（２）情報コードＣは、上述した一部非公開コードとして構成されることに限らず、その利用環境等に応じて、所定のパスワード等を用いて暗号化された情報コードとして構成されてもよいし、一般の読取装置でも読み取り可能な通常の情報コード、例えば、ＱＲコード（登録商標）として構成されてもよい。
【００５８】
（３）配信先装置として配置される読取装置４０は、据え置き型の情報端末として構成されることに限らず、携帯型の情報端末として構成されてもよく、少なくとも情報コードＣを読み取る機能とサーバ２０と通信する通信機能とを備える装置として構成されればよい。
【００５９】
（４）登録情報配信システム１０は、会員登録等の申請作業の簡素化を望む利用者や店舗等に対してサーバ２０を利用して運営業者等によって申請補助サービスが提供されるシステムとして構成されることに限らず、他の申請用途等を含め、登録される個人情報を配信可能に管理するサーバ２０を有し、携帯端末３０にて配信先とされた読取装置４０等の配信先装置に対してサーバ２０から個人情報を配信するシステムとして構成されてもよい。
【符号の説明】
【００６０】
１０…登録情報配信システム
２０…サーバ
２２…記憶部
３０…携帯端末
３１…制御部
３４…表示部
３７…通信部（端末側取得部）
４０…読取装置（配信先装置）
４１…制御部（読取部）
４２…記憶部（装置側記憶部）
４３…撮像部（読取部）
４６…通信部（装置側取得部）
Ｃ…情報コード
【図１】
2019067181.tif 000003
【図２】
2019067181.tif 000004
【図３】
2019067181.tif 000005
【図４】
2019067181.tif 000006
【図５】
2019067181.tif 000007
【図６】
2019067181.tif 000008
【図７】
2019067181.tif 000009
【図８】
2019067181.tif 000010
【図９】
2019067181.tif 000011
【図１０】
2019067181.tif 000012
【図１１】
2019067181.tif 000013
【図１２】
2019067181.tif 000014
【図１３】
2019067181.tif 000015